(57)【要約】【課題】揺動式のシャッターにおいて、スライド操作によって遮蔽することができると共に、遮蔽状態でロックすることができる。  【解決手段】シュレッダー２の排出路７を遮蔽するシャッター部材１０と、シャッター部材を遮蔽方向に揺動させる捩りバネ２０と、スライド操作によって捩りバネを付勢させる屑箱３０と、を含んで構成されるシャッター１において、シャッター部材にロック片４１をスライド可能に取り付けると共に、ロック片が嵌合される収容部６０を排出路の近傍に設け、屑箱をスライドすることによって、シャッター部材が遮蔽方向に揺動し、ロック片がスライドされて収容部に嵌合されるようにした。【選択図】図８
2008200592.tif 000002
【特許請求の範囲】
【請求項１】
構造物の開口部（７）を遮蔽するシャッター部材１０と、該シャッター部材１０を遮蔽方向に揺動させる弾性部材２０と、スライド操作によって前記弾性部材２０を付勢させる操作部材（３０）と、を含んで構成されるシャッター１において、
前記シャッター部材１０にロック片４１をスライド可能に取り付けると共に、該ロック片４１が嵌合される収容部６０を前記構造物の開口部（７）の近傍に設け、
前記操作部材（３０）をスライド操作することによって、前記シャッター部材１０が遮蔽方向に揺動すると共に、ロック片４１がスライドされて、前記収容部６０に嵌合されるように構成したことを特徴としたシャッター。
【請求項２】
前記構造物は、細断刃５によって細断された細断屑をハウジング４内に設けられた前記開口部（７）を介して排出するシュレッダー２であり、前記操作部材３０は、前記開口部（７）の下方に設けられた屑箱３０であって、屑箱３０を前記ハウジング４の外部に引き出すことによって、前記ロック片４１がスライドされ、前記シャッター部材１０が前記開口部（７）を遮蔽すると共に、前記ロック片４１が前記収容部６０に嵌合されることを特徴とする請求項１に記載のシャッター。
【請求項３】
前記操作部材（３０）に、前記シャッター部材１０を押圧する押圧部３３と、該押圧部３３に連続する係止凹部３４と、を更に設けると共に、
前記シャッター部材１０に、前記押圧部３３が当接される傾斜状の当接部１５と、開放方向への揺動方向とは反対側に向けて前記当接部１５に連続する係止凸部１６と、を有する付勢部１２を設け、
前記操作部材（３０）を前記シャッター部材１０を開放させる方向にスライド操作することによって、前記押圧部３３が前記シャッター部材１０の前記傾斜状の当接部１５を押圧し、前記シャッター部材１０を開放方向に揺動させると共に、前記係止凸部１６を前記係止凹部３４の方向に向かわせて該係止凹部３４で係止させ、付勢状態を維持させるように構成したことを特徴とする請求項１又は２に記載のシャッター。
【発明の詳細な説明】
【技術分野】
【０００１】
本発明は、揺動式のシャッターに関し、特に、シャッターの遮蔽状態を維持させるロック機構を有するシャッターに関する。
【背景技術】
【０００２】
揺動によって構造物の開口部を開閉する遥動式シャッターは、スライド式のシャッターとは異なり、開口部と同一平面上にシャッターがスライドされる領域を設ける必要がないので、スペース上の制約がある小型の構造物に多用されている。
例えば、卓上型シュレッダーのように、ハウジング内に細断刃を設け、その下方に屑箱を引き出し可能に設けたものにおいては、屑箱を引き出した際に細断刃が露呈されないようにするために、細断刃と屑箱との間に揺動式のシャッターが設けられることが多い。
【０００３】
特許文献1には、細断刃と屑箱の間にシャッターを設けたシュレッダーが開示されているが、この場合、下端部を中心に前方に揺動される扉の内側に、屑箱を着脱可能に設け、扉の上端部を手前に引き出すことによって、下端部を中心に屑箱が揺動され、屑箱の奥側の上端部が、シャッターの揺動端部を上方に押し上げることによって、遮蔽されるようになっている。
即ち、屑箱がハウジング内に収納されている際は、シャッターは、開放状態が維持されるように、ハウジングに設けられたバネによって位置規制されているが、扉を引き出して屑箱を揺動させた際に、屑箱の奥側の上端部によってシャッターの揺動端部を押し上げ、その拍子にバネを弾性変形させて乗り越え、シャッターが遮蔽方向に揺動される。
【０００４】
このように構成することで、扉を引き出すと同時に、屑箱の回動によってバネによる位置規制が解除されてシャッターが遮蔽方向に揺動し、シュレッダーの細断刃と屑箱の間が遮蔽されるようにできる。
【特許文献１】特開昭６１−２６８３６３号公報
【発明の開示】
【発明が解決しようとする課題】
【０００５】
しかしながら、このようなシャッターでは、幼児の悪戯等によって強制的にシャッター部材が開口部から引き離された場合に、思いがけずシャッターが開放されてしまうという事態が起こり得る。
そこで、本発明は、揺動式のシャッターにおいて、シャッターの遮蔽方向とは反対方向から力が加わった場合であっても、遮蔽状態を維持することができるシャッターの提供を目的とする。
【課題を解決するための手段】
【０００６】
上記課題を解決するために、本発明は、構造物の開口部を遮蔽するシャッター部材と、該シャッター部材を遮蔽方向に揺動させる弾性部材と、スライド操作によって前記弾性部材を付勢させる操作部材と、を含んで構成されるシャッターにおいて、前記シャッター部材にロック片をスライド可能に取り付けると共に、該ロック片が嵌合される収容部を前記構造物の開口部の近傍に設け、前記操作部材をスライド操作することによって、前記シャッター部材が遮蔽方向に揺動すると共に、ロック片がスライドされて、前記収容部に嵌合されるように構成した。
【０００７】
この場合、前記構造物は、細断刃によって細断された細断屑をハウジング内に設けられた前記開口部を介して排出するシュレッダーであり、前記操作部材は、前記開口部の下方に設けられた屑箱であって、屑箱を前記ハウジングの外部に引き出すことによって、前記ロック片がスライドされ、前記シャッター部材が前記開口部を遮蔽すると共に、前記ロック片が前記収容部に嵌合されるようにしてもよい。
【０００８】
また、前記操作部材に、前記シャッター部材を押圧する押圧部と、該押圧部に連続する係止凹部と、を更に設けると共に、前記シャッター部材に、前記押圧部が当接される傾斜状の当接部と、開放方向への揺動方向とは反対側に向けて前記当接部に連続する係止凸部と、を有する付勢部を設け、前記操作部材を前記シャッター部材を開放させる方向にスライド操作することによって、前記押圧部が前記シャッター部材の前記傾斜状の当接部を押圧し、前記シャッター部材を開放方向に揺動させると共に、前記係止凸部を前記係止凹部の方向に向かわせて該係止凹部で係止させ、付勢状態を維持させるように構成してもよい。
【発明の効果】
【０００９】
本発明に係るシャッターは、構造物の開口部を遮蔽するシャッター部材にロック片をスライド可能に取り付けると共に、該ロック片が嵌合される収容部を前記構造物の開口部の近傍に設け、前記操作部材をスライド操作することによって、シャッター部材のロック片がスライドされて、構造物の開口部近傍の収容部に嵌合されるようにしたので、シャッター部材が揺動して開口部を遮蔽すると同時に、自動的に構造物に対してシャッター部材をロックさせることができる。
この場合、ロック片と収容部とは、シャッター部材の揺動方向に対して所定の角度をもった方向において相互に嵌合されているので、シャッター部材が解放される方向に力が加わった場合であっても、嵌合状態が維持される。
【００１０】
請求項２に係る発明は、シャッターをシュレッダーの細断刃と屑箱との間に設けられたシャッターに適用し、屑箱をハウジングの外部に引き出すことによって、ロック片がスライドされ、シャッターによる開口部の遮蔽と同時にロックされるようにした。
これによって、シュレッダーの屑箱を引き出した際に生じる空間部から、細断刃にアクセスできないようにすることができるので、幼児の悪戯等、不測の事態が生じた場合であっても、シュレッダーの安全性を確保することができる。
【００１１】
請求項３に係る発明は、シャッター部材の当接部を傾斜状に構成したので、その当接部に作用される操作部の押圧力が、開放方向にシャッター部材を揺動させる方向と、それに直交する方向に分散される。このため、操作部材をスライドさせて当接部を押圧した際に、揺動方向の力によってシャッター部材が開放され、それと同時に、直交方向の力の抗力によって、揺動方向とは反対方向に連続形成された係止凸部が操作部材の係止凹部に係止するのを促すように、操作部材を変位させることができる。
これによって、操作部材のスライド操作によって、シャッター部材を開放方向に揺動させ、揺動されたシャッターが所定の開放状態になった際に、操作部材の係止凹部にシャッター部材の係止凸部が係止され、シャッターの開放状態を維持させることができる。
【００１２】
なお、シャッターをシュレッダーの細断刃と屑箱との間に設けられたシャッターに適用した場合、屑箱をハウジングの外部に引き出すことによってシャッターが遮蔽され、ハウジングの内側に押し込むことによって、シャッター部材が開放方向に揺動されるようにすることができる。そして、シャッターが所定の開放状態になった際に、屑箱に設けられた係止凹部にシャッター部材の係止凸部を係止させることで、シャッターの開放状態を維持させることができる。
これによって、特別な係止部材をシュレッダーのハウジングに設けることなく、シャッターの開放状態を維持できるように構成できる。
【発明を実施するための最良の形態】
【００１３】
本発明の好適な実施形態について、添付図面に基づいて説明する。なお、実施形態は以下の形態に限定されるものではなく、本発明の課題を解決し得るものであれば他の態様も可能である。
【００１４】
図１は、本発明の実施形態のシャッター１が適用されるシュレッダー２を示す断面図である。このシュレッダー２は、紙やコンパクトディスクなどのシート状の被細断物を裁断するものであり、投入口３から投入された被細断物を、ハウジング４の内部に設けられた細断刃５で裁断処理し、細断刃５の下方に設けられた屑箱３０に排出するようになっている。
【００１５】
このシュレッダー２のハウジング４の正面には屑箱３０が引き出し可能に嵌合されている。  
ハウジング４の上面には、シート材を投入するための投入口３が設けられている。
投入口３の下方には、シート材の線状にカットするための一対の細断刃５と、その下方にクロスカット用の細断刃５’が配設されている。細断刃５は、筒状体の周面に鋭利な刃を多数設けたもので、２本の筒状体は水平に並列させて配置され、両端部において回転可能に支承されている。クロスカット用の細断刃５’筒状体の周面に裁断を螺旋状に設けたものである。
【００１６】
これらの細断刃５の上方には、図示しないセンサが取り付けられており、そのセンサが被細断物の通過を検知することによって、駆動モータ８が作動して細断刃５が回転し、その間を通過する被細断物が細かく裁断される。
細断された屑は、細断刃５の下方に配置された屑箱３０に収容される。
【００１７】
細断刃と屑箱の間には、本発明にかかるシャッター１が配設されている。
このシャッターは、図１（ｂ）に示すように、細断刃５の下方に配設される仕切り壁６に開口された細断屑の排出路７に揺動可能に配設されており、図２に示すように、屑箱３０が引き出された際に、排出路７を遮蔽することで、屑箱３０が引き出された際に生ずる空間部から細断刃５へのアクセスを防止している。
【００１８】
このシャッター１の構成を、図３を参照して説明する。
シャッター１は、シャッター部材１０と、弾性部材としての捩りバネ２０と、操作部材としての屑箱３０とを含んで構成されており、シャッター１が閉じた際に自動的にロックされる自動ロック機能と、シャッターが開放された際に、その開放状態が自動的に維持されるようにする開放維持機能を有することを特徴とするものである。
【００１９】
シャッター部材１０は、排出路７を遮蔽する遮蔽部１１と、捩りバネ２０の弾性力を遮蔽部１１に作用させるバネ付勢部１２と、このシャッター部材１０を揺動させる枢支軸１３と、シャッター部材１０を遮蔽状態でロックさせるロック部４０と、を含んで構成される。
遮蔽部１１は、仕切り壁６に設けられた排出路７を遮蔽できる大きさの板状部材からなるもので、図４に示すように、後述するロック片４１をスライド可能に取り付けるための小孔４２とガイド壁４３を、揺動端部の２ヶ所に設けている。
【００２０】
この遮蔽部１１の両側に、バネ付勢部１２が連設されている。このバネ付勢部１２は、屑箱３０をハウジング内に押し込んでシャッター１の開放する際に、屑箱３０による押圧を受けて捩りバネ２０を付勢させるための部位である。
バネ付勢部１２の側縁部には、屑箱３０を収納方向に押し込むことによって、シャッターの開放状態を維持させるための機構が設けられている。この側縁部は、断面カム状に構成されており、揺動端部側の先端部には、図５に示すように、傾斜状の当接部１５と係止凸部１６とが形成されている。
【００２１】
この当接部１５は、バネ付勢部１２の側縁部の下側に形成された傾斜状の部位であり、この部位で屑箱３０からの押圧を受ける。
係止凸部１６は、当接部１５の上側に連続する湾曲状の部位である。即ち、この係止凸部１６を、開放方向への揺動方向Ｃとは反対側に向けて前記当接部１５から連続する部位に形成した。
このように、当接部１５を傾斜状に形成したことによって、屑箱３０をスライドさせてシャッター部材１０の当接部１５を押圧した際に作用される力を、開放方向にシャッター部材１０を揺動させる方向と、それに直交する方向に分散させることができる。
【００２２】
このため、操作部材をスライドさせて当接部を押圧した際に、揺動方向の力によってシャッター部材が開放され、それと同時に、直交方向の力の抗力によって屑箱３０を、係止凸部１６の屑箱３０の後述する係止凹部３４への係止を促す方向へと変位させることができる。
これによって、屑箱３０の押圧によってシャッター部材１０が開放方向に揺動することによって、シャッター部材の係止凸部１６が屑箱３０の係止凹部３４に係止し、シャッターの開放状態を維持させるようになっている。
【００２３】
このバネ付勢部１２は、図３に示すように、遮蔽部１１との接続部において捩りバネ２０の一端部を当接させることによって、シャッターを開放させる方向に、バネに付勢力を与えている。
上記遮蔽部１１とバネ付勢部１２とは、連続部１７を介して枢支軸１３に固定されている。この枢支軸１３は、ハウジング４の内壁面に設けられた取付部に揺動可能に支承されており、軸芯には、捩りバネ２０のコイル部が、遊びを持たせた状態で嵌め込まれている。
【００２４】
遮蔽部１１の揺動端部には、ロック部４０が設けられている。このロック部４０には、図２に示すようにシャッター１が閉じた際に、シャッター部材１０が仕切り壁６に自動的に固定されるようにするための機構が設けられている。
即ち、ロック部４０は、図４に示すように、遮蔽部１１に設けられた小孔４２内をロック片４１がスライドできるように形成されており、そのロック片４１をカバー４４で覆っている。  
【００２５】
ロック片４１の下面には突起部４５が形成されており、この突起部４５を、遮蔽部１１に設けられた小孔４２内に挿入させた状態で、ロック片４１がスライドされるようになっている。このロック片４１は、屑箱３０が引き出される方向にスライドすることによって、屑箱３０に形成された後述するロック操作部３２が突起部４５に当接し、ロック片４１を仕切り壁６に設けられた収容部６０に嵌合させる方向にスライドさせるように構成されている。
【００２６】
上記構成のシャッター部材１０の枢支軸１３には、捩りバネ２０が取り付けられている。  この捩りバネ２０は、シャッター部材１０のバネ付勢部１２と、ハウジング４の内壁面に設けられた取付部との間に介装されており、バネ付勢部１２によって付勢力が解除された際の弾発力によって、遮蔽方向にシャッター部材１０を揺動させる。
シャッター部材１０の下方には、屑箱３０がスライド可能に収納されている。
【００２７】
この屑箱３０は、図６に示すように、ハウジング４から引き出すことによって、取り外し可能となっている。
この屑箱３０を引き出す操作は、シャッターを遮蔽させるためのトリガーとなると共に、シャッター部材１０のロック片４１をスライドさせて仕切り壁６の収容部６０に嵌合させるためのトリガーともなる。
一方、屑箱３０を押し込む操作は、シャッターを開放させるためのトリガーとなると共に、シャッター部材１０の係止凸部１６と屑箱３０の係止凹部３４とを係合させ、シャッターの開放状態を維持させるためのトリガーともなる。
【００２８】
屑箱３０の構成を、図７を参照して説明する。
屑箱３０の正面部には、引き出す際に把持する把手部３１が設けられており、背面部にはロック操作部３２と、押圧部３３と係止凹部３４とが設けられている。
【００２９】
ロック操作部３２は、屑箱３０背面の上端部の、シャッター部材１０のロック部４０に対応する位置に設けられたもので、図６に示すように、屑箱３０を引き出す方向Ａに移動させることによって、図８に示すように、ロック片４１を仕切り壁６の収容部６０に嵌合する方向Ａにスライドさせるためのものである。
ロック操作部３２の上端部はロック片４１の突起部４５に当接する位置まで延びており、屑箱３０の引き出し方向Ａへの移動によって、突起部４５をスムーズに跳び越えることができるように、両側がテーパ状になっている。
【００３０】
屑箱３０の両側面の背面側上端部には、押圧部３３と係止凹部３４が設けられている。これらは、図９に示すように、屑箱３０が押し込まれる方向Ｂに移動した際に、図１０に示すように、シャッター部材１０のバネ付勢部１２を押圧することで捩りバネ２０を付勢し、シャッターを開放するための部位である。
詳しくは、図７に示すように、屑箱３０の側面部から背面部にかけての上端部は、四角形状に切り欠かれており、側面部上端の角部が押圧部３３となり、押圧部３３から下方に向けて連続する凹状の角部が係止凹部３４となっている。
【００３１】
押圧部３３は、屑箱３０をハウジング４内に押し込む際に、シャッター部材１０の当接部１５を押圧する部位であり、図１０に示すように、傾斜状の当接部１５を水平方向に押圧することで、当接部１５に作用される力が、水平方向（即ち、シャッターの開放方向）と、垂直方向上方（即ち、シャッター開放方向と直交する方向）に分散される。この水平方向の力が捩りバネ２０に作用することで、開放方向にシャッター部材１０が揺動される。
【００３２】
一方、分散された垂直方向上方への力は、屑箱３０を下方向Ｄに変位させるための抗力として働く。この際、バネ付勢部１２の係止凸部１６は、シャッター部材１０の揺動によってシャッターの開放方向Ｃに回転しているので、押圧部３３から係止凹部３４に向かう稜線上を所定の摩擦力をもって摺動しながら、係止凹部３４において係止されるようになる（図９（ｃ）参照）。
ハウジング４の底部内側面には、屑箱３０の下方向Ｄへの移動を促すために、逃げ部９が設けられている（図１１参照）。
【００３３】
上記構成のシャッター１の使用状態を説明する。
シュレッダー２の屑箱３０に細断屑が溜まった際には、図６のように、屑箱３０を引き出して取り出すが、この際、屑箱３０の係止凹部３４に係止されている係止凸部１６が、屑箱３０の引き出し方向Ａへの移動によって係止凹部３４から外れるので、捩りバネ２０の弾発力によってシャッター部材１０が遮蔽方向に揺動される。
【００３４】
シャッター部材１０が遮蔽される際は、屑箱３０の引き出し方向Ａへの移動に従って、図８に示すように、屑箱３０のロック操作部３２が、シャッター部材１０に設けられたロック片４１をスライドさせ、仕切り壁６の収容部６０に嵌合させる。
これによって、屑箱３０を引き出した際に、シャッター１が遮蔽された状態でロックされる。
【００３５】
この屑箱３０をハウジング４に収容する際は、図９に示すように、屑箱３０をスライドさせてシャッター部材１０の傾斜状の当接部１５を押圧し、シャッター部材１０を開放方向に揺動させ、所定の開放状態になった際に、屑箱３０の係止凹部３４にシャッター部材１０の係止凸部１６が係止されるようにすることで、シャッター１の開放状態が維持される。このため、屑箱３０がハウジング４内に収納された状態では、屑箱３０によってシャッター部材１０が押さえられ続けていなくても、シャッターの開放状態を維持することができる。
これによって、屑箱３０を引き出した際にのみ、シャッターを遮蔽するための捩りバネ２０の付勢力が作用し、屑箱３０がハウジング４内に収納されている間は作用されないので、何かの拍子に屑箱３０が突然とび出したりすることがない。
【００３６】
なお、シュレッダー部材１０に設けられたロック部４０は、図１２に示すように、弾性部材４６によってロック片４７を嵌合方向に付勢するようにしてもよい。この場合、シャッター部材１０の揺動によって、ロック片４７が容易に収容部６０に嵌合されるように、角部をテーパ状又はアール状に処理しておくのが好ましい。
【産業上の利用可能性】
【００３７】
本発明は、あらゆる装置に採用される揺動式のシャッターに適用することができる。
【図面の簡単な説明】
【００３８】
【図１】本発明の実施形態にかかるシャッターが適用されるシュレッダーであり、（ａ）はロック部の位置において正面側から背面側に向けて切断した断面図であり、（ｂ）はシュレッダーの上部を取外してシャッターが見える状態にした斜視図である。
【図２】屑箱を引き出した状態の上記シュレッダーであり、（ａ）はロック部の位置において正面側から背面側に向けて切断した断面図であり、（ｂ）はシュレッダーの上部を取外してシャッターが見える状態にした斜視図である。
【図３】本発明にかかるシャッターを示す斜視図である。
【図４】上記シャッターを分解した状態を示す斜視図である。
【図５】上記シャッターのバネ付勢部を示す拡大斜視図である。
【図６】シュレッダーをロック部の位置で正面側から背面側に向けて切断した断面図であり、（ａ）は屑箱を収納した状態、（ｂ）は屑箱を引き出してシャッターをロックさせる状態、（ｃ）はロックさせた状態を示す断面図である。
【図７】屑箱を示す斜視図である。
【図８】ロック片が収容部に嵌合される状態を示す要部拡大図であり、（ａ）はロック前、（ｂ）はロック操作中、（ｃ）はロック後を示す。
【図９】屑箱がハウジング内に押し込まれる状態を示す斜視図であり、（ａ）はハウジングから出された状態を示し、（ｂ）は収納された状態を示す。
【図１０】シャッター部材が屑箱に係止される状態を示す要部拡大図である。
【図１１】ハウジングの底部の状態を示す断面図である。
【図１２】上記ロック部の変形例を示す要部拡大図である。
【符号の説明】
【００３９】
１・・・シャッター
２・・・シュレッダー
３・・・投入口
４・・・ハウジング
５、５’・・・細断刃
６・・・仕切り壁
７・・・排出路（開口部）
８・・・駆動モータ
９・・・逃げ部
１０・・・シャッター部材
１１・・・遮蔽部
１２・・・バネ付勢部（付勢部）
１３・・・枢支軸
１５・・・当接部
１６・・・係止凸部
１７・・・連続部
２０・・・捩りバネ（弾性部材）
３０・・・屑箱（操作部材）
３２・・・ロック操作部
３３・・・押圧部
３４・・・係止凹部    
４０・・・ロック部
４１、４７・・・ロック片
４２・・・小孔
４３・・・ガイド壁
４４・・・カバー
４５・・・突起部
４６・・・弾性部材
６０・・・収容部
【図１】
2008200592.tif 000003
【図２】
2008200592.tif 000004
【図３】
2008200592.tif 000005
【図４】
2008200592.tif 000006
【図５】
2008200592.tif 000007
【図６】
2008200592.tif 000008
【図７】
2008200592.tif 000009
【図８】
2008200592.tif 000010
【図９】
2008200592.tif 000011
【図１０】
2008200592.tif 000012
【図１１】
2008200592.tif 000013
【図１２】
2008200592.tif 000014